(57)【要約】【課題】無線通信システムにおいてＭＩＭＯを終了する方法及び装置を提供する。【解決手段】方法は、ネットワークからのＡＣＴＩＶＥ  ＳＥＴ  ＵＰＤＡＴＥ（アクティブセット更新）メッセージ、ＣＥＬＬ  ＵＰＤＡＴＥ  ＣＯＮＦＩＲＭ（セル更新確認）メッセージ、または再設定メッセージに、ＭＩＭＯ構成データを載せるためのＭＩＭＯパラメータ情報要素（ＩＥ）が含まれなかった場合に、ＵＥの下位層に対してＭＩＭＯを終了するように指示する段階を含む。【選択図】図３
2008206149.tif 000002
【特許請求の範囲】
【請求項１】
無線通信システムのＵＥ（ユーザー端末）においてＭＩＭＯ（多重入出力）を終了する方法であって、
ネットワークからのＡＣＴＩＶＥ  ＳＥＴ  ＵＰＤＡＴＥ（アクティブセット更新）メッセージ、ＣＥＬＬ  ＵＰＤＡＴＥ  ＣＯＮＦＩＲＭ（セル更新確認）メッセージ、または再設定メッセージに、ＭＩＭＯ構成データを載せるためのＭＩＭＯパラメータ情報要素（ＩＥ）が含まれなかった場合に、ＵＥの下位層に対してＭＩＭＯを終了するように指示する段階を含むことを特徴とするＭＩＭＯ終了方法。
【請求項２】
前記ＵＥの下位層は物理層とＭＡＣ（媒体アクセス制御）層を含むことを特徴とする請求項１に記載のＭＩＭＯ終了方法。
【請求項３】
前記方法は更に、ＵＥにおいてＭＩＭＯ構成データを記憶するためのＭＩＭＯ＿ＳＴＡＴＵＳ変数を除去する段階を含むことを特徴とする請求項１に記載のＭＩＭＯ終了方法。
【請求項４】
無線通信システムにおいてＭＩＭＯを正確に終了し、ＭＩＭＯ終了後のダウンリンクデータ受信不能を回避する通信装置であって、
通信装置の機能を実現する制御回路と、
制御回路の中に設けられ、プログラムコードを実行して制御回路を制御するＣＰＵ（中央処理装置）と、
制御回路の中にＣＰＵと結合するように設けられ、プログラムコードを記録する記憶装置とを含み、該プログラムコードは、
ネットワーク通信装置からのＡＣＴＩＶＥ  ＳＥＴ  ＵＰＤＡＴＥメッセージ、ＣＥＬＬ  ＵＰＤＡＴＥ  ＣＯＮＦＩＲＭメッセージ、または再設定メッセージに、ＭＩＭＯ構成データを載せるためのＭＩＭＯパラメータＩＥが含まれなかった場合に、上記通信装置の下位層に対してＭＩＭＯを終了するように指示するコードを含むことを特徴とする通信装置。
【請求項５】
前記通信装置の下位層は物理層とＭＡＣ層を含むことを特徴とする請求項４に記載の通信装置。
【請求項６】
前記プログラムコードは更に、通信装置においてＭＩＭＯ構成データを記憶するためのＭＩＭＯ＿ＳＴＡＴＵＳ変数を除去するコードを含むことを特徴とする請求項５に記載の通信装置。
【発明の詳細な説明】
【技術分野】
【０００１】
本発明は無線通信システムにおいてＭＩＭＯ（多重入出力）を改善する方法及び装置に関し、特に無線通信システムにおいてＭＩＭＯを終了する方法及び装置に関する。
【背景技術】
【０００２】
第三世代移動通信技術はＷＣＤＭＡ（広帯域多元分割接続）方式で高スペクトル利用効率、高カバー率、優れた通話品質と高速伝送を実現するとともに、ＱｏＳ（サービス品質）の確保、柔軟性のある双方向通信の実現、通話中断率の低減に大きく寄与する。第三世代移動通信システムでは動画鑑賞、電話会議、オンラインゲーム、オンラインミュージック再生、電子メールを楽しむことができる。もっとも、これらの機能は迅速かつ実時間のデータ送信機能に頼る。帯域幅の利用効率とパケットデータの処理効率を向上させ、上り・下りの送信速度を改善するために、従来の第三世代移動通信技術にはＨＳＤＰＡ（高速ダウンリンクパケットアクセス）とＨＳＵＰＡ（高速アップリンクパケットアクセス）が導入された。
【０００３】
ダウンリンクのデータ送信速度を改善するために、３ＧＰＰによりＭＩＭＯが導入された。ＭＩＭＯは、ＵＥ（ユーザー端末）と基地局が多重アンテナを通して無線信号を受発信することを許容する。それに加えて空間多重化、ビーム形成、空間ダイバシティーなどの技術を同時に利用すれば、信号干渉を減少し、チャネル容量を増加することができる。ＭＩＭＯは主としてＨＳＤＰＡシステムで利用され、ＨＳ−ＤＳＣＨ（高速ダウンリンク共用チャネル）の最大データ率を有効に向上させることができる。従来の無線資源制御（ＲＲＣ）の観点からみれば、ＭＩＭＯはＣＥＬＬ＿ＤＣＨ（セル専用チャネル）状態のＵＥにのみ適用できる。
【０００４】
ＵＥのＭＩＭＯ動作を制御するためには、ＵＴＲＡＮ（汎用地上波無線アクセスネットワーク）ではＲＲＣメッセージと情報要素（ＩＥ）を生成し、ＲＲＣプロセスでＭＩＭＯ構成データをＵＥに送信する。３ＧＰＰが制定したＲＲＣプロトコルによれば、ＭＩＭＯ構成データを載せるＭＩＭＯパラメータＩＥは、ＭＩＭＯ動作ＩＥと、ＭＩＭＯ  Ｎ／Ｍ比ＩＥと、ＭＩＭＯパイロット構成ＩＥとを含み、そのうちＭＩＭＯ  Ｎ／Ｍ比ＩＥはＵＥと基地局のアンテナ数情報を含み、ＭＩＭＯパイロット構成ＩＥはサブセットとチャネルコード（ｃｈａｎｎｅｌｉｚａｔｉｏｎ  ｃｏｄｅ）などの情報を含み、ＭＩＭＯ動作ＩＥはＵＥに対してＭＩＭＯ機能の開始、継続、停止を指示する「開始」、「継続」、「停止」などのパラメータを含む。
【０００５】
一般に、ＵＴＲＡＮはＭＩＭＯパラメータＩＥをアクティブセット更新（ＡＣＴＩＶＥ  ＳＥＴ  ＵＰＤＡＴＥ）、セル更新確認（ＣＥＬＬ  ＵＰＤＡＴＥ  ＣＯＮＦＩＲＭ）または他の再設定（ｒｅｃｏｎｆｉｇｕｒａｔｉｏｎ）メッセージに載せ、対応するＲＲＣプロセスを通してＵＥに送信する。一方、ＵＥには、ＭＩＭＯ  Ｎ／Ｍ比またはパイロット構成などの受信パラメータを記憶するためのＭＩＭＯ＿ＳＴＡＴＵＳ変数が含まれている。
【０００６】
従来の技術では、ＵＴＲＡＮでＵＥのＭＩＭＯ機能を終了するには２種類の方法がある。第一の方法は、上記ＲＲＣメッセージにＭＩＭＯパラメータＩＥを載せ、当該ＭＩＭＯパラメータＩＥを「停止」にすることである。そうすると、ＵＥはＭＩＭＯ＿ＳＴＡＴＵＳ変数を除去し、下位層に対してＭＩＭＯ関連動作を停止するように要求する。第二の方法では、ＭＩＭＯパラメータＩＥを、ＵＥに最後に送信するＲＲＣメッセージに載せない。当該メッセージをＵＥで受信したとき、もし再設定メッセージにＭＩＭＯパラメータＩＥが含まれていなければ、ＵＥはＭＩＭＯ＿ＳＴＡＴＵＳ変数を除去しなければならない。ＭＩＭＯ終了プロセス（第一または第二の方法）の完成後、ＵＥは非ＭＩＭＯモードの構成パラメータでＨＳ−ＤＳＣＨを通してデータ受信を継続する。
【０００７】
以上のとおり、ＵＴＲＡＮで第二の方法が選ばれた場合、ＵＥはＭＩＭＯパラメータＩＥを除去するのみで、下位層に対してＭＩＭＯ関連動作を停止するように要求しない。この場合、下位層はＭＩＭＯ構成設定（例えばチャネルコード）でデータを受信し続け、ＵＴＲＡＮは非ＭＩＭＯの構成設定（例えばチャネルコード）でデータをＵＥに送信する。したがって、ＭＩＭＯ終了プロセスが終わった後、ＵＥでＨＳ−ＤＳＣＨのデータを正確に復号することができない。
【発明の開示】
【発明が解決しようとする課題】
【０００８】
本発明は上記問題を解決するために、無線通信システムにおいてＭＩＭＯを終了する方法及び装置を提供することを課題とする。
【課題を解決するための手段】
【０００９】
本発明は、無線通信システムのＵＥ（ユーザー端末）においてＭＩＭＯ（多重入出力）を終了する方法を提供する。該方法は、ネットワークからのＡＣＴＩＶＥ  ＳＥＴ  ＵＰＤＡＴＥ（アクティブセット更新）メッセージ、ＣＥＬＬ  ＵＰＤＡＴＥ  ＣＯＮＦＩＲＭ（セル更新確認）メッセージ、または再設定メッセージに、ＭＩＭＯ構成データを載せるためのＭＩＭＯパラメータ情報要素（ＩＥ）が含まれなかった場合に、ＵＥの下位層に対してＭＩＭＯを終了するように指示する段階を含む。
【００１０】
本発明は更に、無線通信システムにおいてＭＩＭＯを正確に終了し、ＭＩＭＯ終了後のダウンリンクデータ受信不能を回避する通信装置を提供する。該通信装置は、通信装置の機能を実現する制御回路と、制御回路の中に設けられ、プログラムコードを実行して制御回路を制御するＣＰＵ（中央処理装置）と、制御回路の中にＣＰＵと結合するように設けられ、プログラムコードを記録する記憶装置とを含む。該プログラムコードは、ネットワーク通信装置からのＡＣＴＩＶＥ  ＳＥＴ  ＵＰＤＡＴＥメッセージ、ＣＥＬＬ  ＵＰＤＡＴＥ  ＣＯＮＦＩＲＭメッセージ、または再設定メッセージに、ＭＩＭＯ構成データを載せるためのＭＩＭＯパラメータＩＥが含まれなかった場合に、上記通信装置の下位層に対してＭＩＭＯを終了するように指示するコードを含む。
【発明を実施するための最良の形態】
【００１１】
かかる方法及び装置の特徴を詳述するために、具体的な実施例を挙げ、図を参照にして以下に説明する。
【００１２】
図１を参照する。図１は無線通信装置１００のブロック図である。説明を簡素化するため、図１では無線通信装置１００の入力装置１０２、出力装置１０４、制御回路１０６、ＣＰＵ（中央処理装置）１０８、記憶装置１１０、プログラムコード１１２及びトランシーバー１１４のみ描かれている。無線通信装置１００では、制御回路１０６はＣＰＵ１０８を用いて記憶装置１１０に記録されたプログラムコード１１２を実行し、無線通信装置１００の動作を制御し、入力装置１０２（例えばキーボード）でユーザーが入力した信号を受信し、出力装置１０４（スクリーン、スピーカーなど）で映像、音声などの信号を出力する。無線信号を受発信するトランシーバー１１４は受信した信号を制御回路１０６に送信し、または制御回路１０６による信号を無線で出力する。言い換えれば、通信プロトコルに当てはめれば、トランシーバー１１４は第一層の一部とみなされ、制御回路１０６は第二層と第三層の機能を実現する。無線通信装置１００は第三世代移動通信システムの高速パケットアクセスシステムに用いられ、ＭＩＭＯ機能をサポートすることが望ましい。
【００１３】
図２を参照する。図２は図１に示すプログラムコード１１２を表す説明図である。プログラムコード１１２はアプリケーション層２００と、第三層２０２と、第一層２１８と接続される第二層２０６を備える。第三層２０２には、第一層２１８と第二層２０６を制御するためのＲＲＣメッセージと情報要素（ＩＥ）を受信・形成し、または他通信装置（基地局またはＵＴＲＡＮ）とＲＲＣ信号を交換するＲＲＣエンティティー２２２が設けられている。第一層２１８と第二層２０６は望ましくは物理層とＭＡＣ（媒体アクセス制御）層である。無線通信装置１００は更に、ＭＩＭＯ構成データを記憶するためのＭＩＭＯ＿ＳＴＡＴＵＳ変数を含む。
【００１４】
無線通信装置１００のＭＩＭＯ機能を起動するために、ＵＴＲＡＮはＭＩＭＯパラメータＩＥのうちＭＩＭＯ動作ＩＥを「開始」に設定し、これをＡＣＴＩＶＥ  ＳＥＴ  ＵＰＤＡＴＥ、ＣＥＬＬ  ＵＰＤＡＴＥ  ＣＯＮＦＩＲＭまたは再設定メッセージを通して無線通信装置１００に送信する。無線通信装置１００は受信した構成データをＭＩＭＯ＿ＳＴＡＴＵＳ変数に保存し、第一層２１８と第二層２０６に対してＭＩＭＯ関連動作を起動するように指示する。それに鑑みて、本実施例ではプログラムコード１１２の中にＭＩＭＯ管理プログラムコード２２０を設け、ＭＩＭＯを正常に終了し、ＭＩＭＯ終了後のダウンリンクデータの正常受信を確保する。図３を参照する。図３は本発明の実施例による方法３０のフローチャートである。下記方法３０は無線通信システムのＵＥにおいてＭＩＭＯの終了に用いられ、ＭＩＭＯ管理プログラムコード２２０としてコンパイルすることができる。
【００１５】
ステップ３００：開始。
ステップ３０２：ネットワークからのＡＣＴＩＶＥ  ＳＥＴ  ＵＰＤＡＴＥ、ＣＥＬＬ  ＵＰＤＡＴＥ  ＣＯＮＦＩＲＭ、または再設定メッセージにＭＩＭＯパラメータＩＥが含まれなかった場合に、下位層に対してＭＩＭＯを終了するように指示する。
ステップ３０４：終了。
【００１６】
以上のとおり、ＵＥでＭＩＭＯを実行する間に、最後に受信したＲＲＣ制御メッセージにはＭＩＭＯパラメータＩＥが含まれなかった場合に、ＵＥは下位層に対してＭＩＭＯを終了するように指示する。望ましくは、下位層は物理層とＭＡＣ層を含み、ＵＥはＭＩＭＯ＿ＳＴＡＴＵＳ変数を除去する。したがって、上記方法３０の実行後、ＵＥの下位層は正確な構成設定（例えばチャネルコード設定）でダウンリンクデータ（例えばＨＳ−ＤＳＣＨのデータ）を受信することができる。
【００１７】
まとめていえば、本実施例ではＵＥでＲＲＣ層の構成データを除去するのみならず、物理層とＭＡＣ層の関連動作も停止するので、ＵＥはＭＩＭＯモードから非ＭＩＭＯモードになった後にも、データを正確に受信することができる。
【００１８】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００１９】
【図１】本発明の実施例による無線通信装置のブロック図である。
【図２】図１に示すプログラムコードを表す説明図である。
【図３】本発明の実施例による方法のフローチャートである。
【符号の説明】
【００２０】
１００  無線通信装置
１０２  入力装置
１０４  出力装置
１０６  制御回路
１０８  ＣＰＵ
１１０  記憶装置
１１２  プログラムコード
１１４  トランシーバー
２００  アプリケーション層
２０２  第三層
２０６  第二層
２１８  第一層
２２０  ＭＩＭＯ管理プログラムコード
２２２  ＲＲＣエンティティー
【図１】
2008206149.tif 000003
【図２】
2008206149.tif 000004
【図３】
2008206149.tif 000005